(57)【特許請求の範囲】
【請求項１】
バスバーと、
端子部を有するヒューズと、
前記バスバーと前記ヒューズとが組み付けられるベース部材と、
軸部と、前記軸部の一端に配置された頭部とを有し、前記端子部と前記バスバーとを前記ベース部材に固定するボルトとを備え、
前記端子部が、前記バスバーと前記ベース部材との間に配置され、
前記頭部が前記バスバーと当接して配置されている電気接続箱。
【請求項２】
前記ベース部材が、ベース壁部と、前記ベース壁部から立ち上がり、前記端子部と前記バスバーとを囲む囲み壁部とを備えており、
前記囲み壁部が前記端子部に当接している、請求項１に記載の電気接続箱。
【請求項３】
前記ベース部材が、前記囲み壁部の内部に配置される載置部を備え、
前記載置部が、前記ベース部材から立ち上がる回転規制受面と、前記回転規制受面に対して角度をなして配置され、前記端子部が載置される載置面とを有しており、
前記囲み壁部が前記バスバーに当接しているとともに、
前記バスバーが、前記端子部に重なって配置される取付部と、前記取付部から角度をなして延び、前記回転規制受面に当接する回転規制部と、前記回転規制部から角度をなして延び、前記ベース壁部に重なって配置されるバスバー本体とを備える、請求項２に記載の電気接続箱。
【請求項４】
前記載置部が、前記載置面を基準として凹むナット収容凹部を有し、
前記ナット収容凹部の内部には、複数の外面のうち少なくとも一面に開口するナット孔を有し、前記ボルトがねじ付けられるナットが収容されており、
前記ナットが、前記一面と前記載置面とが面一となるように配置されている、請求項３に記載の電気接続箱。
【請求項５】
前記ナットが、前記一面と垂直な複数の側面を有しており、
前記ナット収容凹部が、前記複数の側面と対向する複数の側壁面で定義される凹部であり、
前記側壁面から突出する突部が前記側面に当接している、請求項４に記載の電気接続箱。
【発明の詳細な説明】
【技術分野】
【０００１】
本明細書によって開示される技術は、電気接続箱に関する。
【背景技術】
【０００２】
自動車等の車両に搭載される電気接続箱は、ケースと、ケースの内部に配設されるリレー、ヒューズ、バスバーなどを備えている（特許文献１参照）。ヒューズは、一対の接続部を有しており、一対の接続部のそれぞれがバスバーに重ねられ、ボルトとナットとを用いて締め付け固定されている。
【先行技術文献】
【特許文献】
【０００３】
【特許文献１】特開２００５−１８５０３５号公報
【発明の概要】
【発明が解決しようとする課題】
【０００４】
上記の構成では、ボルトが締め込まれていくと、ボルトの頭部がヒューズの接続部に当接し、接続部に摺設しつつ回転することとなる。このため、ボルトの回転力が接続部に作用し、接続部が変形することが懸念される。
【課題を解決するための手段】
【０００５】
本明細書によって開示される電気接続箱は、バスバーと、端子部を有するヒューズと、前記バスバーと前記ヒューズとが組み付けられるベース部材と、軸部と、前記軸部の一端に配置された頭部とを有し、前記端子部と前記バスバーとを前記ベース部材に固定するボルトとを備え、前記端子部が、前記バスバーと前記ベース部材との間に配置され、前記頭部が前記バスバーと当接して配置されている。
【０００６】
上記の構成によれば、端子部とボルトの頭部との間にはバスバーが介在しているから、ボルトの締め込み過程において、端子部がボルトの回転力を直接受けることがない。また、バスバーは一般に、ヒューズの端子部よりも厚い部材であるため、ボルトの頭部からの回転力を受けても変形が生じにくい。これにより、端子部の変形が回避される。
【０００７】
上記の構成において、前記ベース部材が、ベース壁部と、前記ベース壁部から立ち上がり、前記端子部と前記バスバーとを囲む囲み壁部とを備えており、前記囲み壁部が前記端子部に当接していてもよい。
【０００８】
このような構成によれば、組み付けの際にベース部材に対する端子部の位置決めができるので、組み付け作業性が向上する。
【０００９】
上記の構成において、前記ベース部材が、前記囲み壁部の内部に配置される載置部を備え、前記載置部が、前記ベース部材から立ち上がる回転規制受面と、前記回転規制受面に対して角度をなして配置され、前記端子部が載置される載置面とを有しており、前記囲み壁部が前記バスバーに当接しているとともに、前記バスバーが、前記端子部に重なって配置される取付部と、前記取付部から角度をなして延び、前記回転規制受面に当接する回転規制部と、前記回転規制部から角度をなして延び、前記ベース壁部に重なって配置されるバスバー本体とを備えていてもよい。
【００１０】
このような構成によれば、ボルトの締め込みの際に、ボルトの回転につられてバスバーが回転してしまうことを規制でき、組み付け作業性が向上する。
【００１１】
上記の構成において、前記載置部が、前記載置面を基準として凹むナット収容凹部を有し、前記ナット収容凹部の内部には、複数の外面のうち少なくとも一面に開口するナット孔を有し、前記ボルトがねじ付けられるナットが収容されており、前記ナットが、前記一面と前記載置面とが面一となるように配置されていてもよい。
【００１２】
このような構成によれば、ボルトをねじ付けるためのナットが載置面から突出したり引っ込んだりしている場合と比べて、端子部とバスバーとを安定した状態で組み付けることができる。
【００１３】
前記ナットが、前記一面と垂直な複数の側面を有しており、前記ナット収容凹部が、前記複数の側面と対向する複数の側壁面で定義される凹部であり、前記側壁面から突出する突部が前記側面に当接していてもよい。
【００１４】
このような構成によれば、ナット収容凹部からのナットの抜け止めを図ることができる。
【発明の効果】
【００１５】
本明細書によって開示される電気接続箱によれば、ボルトの回転力によるヒューズの端子部の変形を回避できる。
【図面の簡単な説明】
【００１６】
【図１】電気接続箱の平面図
【図２】電気接続箱を部分的に拡大した分解斜視図
【図３】電気接続箱の部分拡大図
【図４】図３のＡ−Ａ線断面図
【図５】図４の円Ｒ内の拡大図
【発明を実施するための形態】
【００１７】
実施形態を図１〜図５を参照しつつ説明する。本実施形態の電気接続箱１は、電気自動車、ハイブリッド車等の車両に搭載される。電気接続箱１は、図１および図２に示すように、２つのバスバー（第１バスバー２０Ａ、第２バスバー２０Ｂ）と、一対の端子部１２、１２を有するヒューズ１０と、ヒューズ１０と２つのバスバー２０Ａ、２０Ｂとが組み付けられるロアケース３０（ベース部材に該当）と、ヒューズ１０とバスバー２０Ａ、２０Ｂとをロアケース３０に固定するためのボルト８０とナット９０とを備えている。
【００１８】
［電気接続箱１の構成］
ヒューズ１０は、図２に示すように、内部に溶断部が封入された筒状のヒューズ本体１１と、ヒューズ本体１１に接続された一対の端子部１２とを備えている。一対の端子部１２のそれぞれは、金属製であって、ヒューズ本体１１の両端部のそれぞれに接続される有底筒状の接続筒部１３と、この接続筒部１３から、ヒューズ本体１１に対して垂直に延びる板状の脚部１４と、この脚部１４からヒューズ本体１１の軸方向に沿って延びる矩形板状の固定部１５とを備えている。固定部１５は、ボルト挿通孔１６を備えている。
【００１９】
第１バスバー２０Ａは、ヒューズ１０の固定部１５よりも厚みの大きい金属板材を帯状に打ち抜きした後、折り曲げ加工することによって形成されている。
【００２０】
この第１バスバー２０Ａは、図２に示すように、取付部２１Ａ、回転規制部２３Ａ、バスバー本体２４Ａ、接続片２５Ａがこの順に連なって構成されている。取付部２１Ａは、矩形板状の部分であって、ボルト挿通孔２２Ａを備えている。回転規制部２３Ａは、取付部２１Ａの一端から、取付部２１Ａに対して垂直に延びる矩形板状の部分である。バスバー本体２４Ａは、回転規制部２３Ａから取付部２１Ａとは反対方向に延び、回転規制部２３Ａに対して垂直に（取付部２１Ａに対して平行に）配置される矩形板状の部分である。接続片２５Ａは、バスバー本体２４Ａから延び、回転規制部２３Ａと向かい合って配置される矩形板状の部分である。接続片２５Ａの先端部は、雄タブ２６Ａとされている。
【００２１】
第２バスバー２０Ｂは、第１バスバー２０Ａと同様に、取付部２１Ｂ、回転規制部２３Ｂ、バスバー本体２４Ｂ、接続片２５Ｂがこの順に連なって構成されている。第２バスバー２０Ｂは、バスバー本体２４Ｂの一部が回転規制部２３Ｂおよび取付部２１Ｂに対して斜めに延びている点、および、雄タブ２６Ｂの外形が第１バスバー２０Ａと異なる点を除いて、第１バスバー２０Ａと同様の構成を有している。第２バスバー２０Ｂにおいて第１バスバー２０Ａの各部位と同様の部位には、同一の符号を用いるとともに、その末尾に添え字Ａに代えて添え字Ｂを付して、説明を省略する。
【００２２】
第１バスバー２０Ａは、ヒューズ１０の一対の端子部１２のうち一方の端子部１２に対して、ボルト８０とナット９０とを用いて締め付け固定され、第２バスバー２０Ｂは、他方の端子部１２に対して、ボルト８０とナット９０とを用いて締め付け固定されている。ボルト８０は、図２に示すように、外周面にねじ山を有する円柱状の軸部８１と、この軸部８１の一端に配され、軸部８１の外径よりも大きな外径を有する円形の頭部８２とを備える一般的なものである。
【００２３】
ナット９０は、図２に示すように、直方体状の外形を有する一般的な四角ナットであり、複数の外面のうち一面（第１開口面９２Ａ）から、これと平行な他面（第２開口面９２Ｂ）まで貫通するナット孔９１を有している。複数の外面のうち他の４面は、２つの開口面９２Ａ、９２Ｂと垂直な側面９３となっている。
【００２４】
ロアケース３０は、合成樹脂製であって、図１に示すように、全体として矩形板状の底板部３１（ベース壁部に該当）と、この底板部３１の周縁から立ち上がる周壁部３２とを有する、トレイ状の部材である。ロアケース３０には、図示しないアッパケースが被せ付けられる。
【００２５】
ロアケース３０は、第１ヒューズ配設部４１Ａおよび第２ヒューズ配設部４１Ｂを備えている。
【００２６】
第１ヒューズ配設部４１Ａは、図２に示すように、ヒューズ１０の２つの端子部１２のうち一方の端子部１２と、この端子部１２と接続される第１バスバー２０Ａとが配設される部分であって、底板部３１から垂直に立ち上がり、端子部１２と第１バスバー２０Ａとを囲む囲み壁部５１Ａと、この囲み壁部５１Ａの内側に配置される載置台６１Ａ（載置部に該当）とを備えている。
【００２７】
囲み壁部５１Ａは、図２および図３に示すように、互いに向かい合って配置される２つの長壁部５２Ａ、５３Ａと、２つの長壁部５２Ａ、５３Ａの端縁同士を繋ぐ２つの短壁部５４Ａ、５５Ａと、２つの長壁部５２Ａ、５３Ａのうち一方の長壁部５２Ａから連なる補助壁部５６Ａとを有している。２つの短壁部５４Ａ、５５Ａは、それぞれ、２つの長壁部５２Ａ、５３Ａに対して垂直に配置されている。短壁部の幅（２つの長壁部５２Ａ、５３Ａ間の距離）は、各長壁部５２Ａ、５３Ａの幅（２つの短壁部５４Ａ、５５Ａ間の距離）よりも長くなっている。
【００２８】
一方の長壁部５２Ａは、図３に示すように、一方の短壁部５４Ａに近接する位置に、端子挿通部５９Ａを有している。この端子挿通部５９Ａは、長壁部５２Ａの延設端（底板部３１と反対側の端縁）から底板部３１まで直線状に延びる２つの開口縁５９Ｅと、底板部３１の板面とで定義される開口部である。
【００２９】
補助壁部５６Ａは、図３に示すように、２つの垂直補助壁部５７Ａと、平行補助壁部５８Ａとを有している。２つの垂直補助壁部５７Ａのそれぞれは、長壁部５２Ａの２つの開口縁５９Ｅのそれぞれから、長壁部５２Ａに対して垂直に、外側に（他方の長壁部５３Ａから離れる方向に）延びる壁部である。平行補助壁部５８Ａは、２つの垂直補助壁部５７Ａの延出端同士を繋ぐ壁部であって、長壁部５２Ａに対して平行に延びている。
【００３０】
載置台６１Ａは、図２および図４に示すように、主台部６２Ａと補助台部６５Ａとを備えている。
【００３１】
主台部６２Ａは、底板部３１から立設された直方体状の台部であって、図２に示すように、２つの長壁部５２Ａ、５３Ａと、一方の短壁部５４Ａとに接して配置されている。主台部６２Ａは、図３および図４に示すように、底板部３１から垂直に立ち上がる回転規制受面６４Ａと、この回転規制受面６４Ａから連なり、回転規制受面６４Ａに対して垂直（底板部３１に対して平行）な第１載置面６３Ａ（載置面に該当）とを有している。回転規制受面６４Ａは、一方の短壁部５４Ａに対して平行に延びている。
【００３２】
補助台部６５Ａは、底板部３１から立設された直方体状の台部であって、図２に示すように、主台部６２Ａおよび補助壁部５６Ａに接して配置されている。補助台部６５Ａは、図４に示すように、底板部３１と平行な第２載置面６６Ａを有している。第２載置面６６Ａは、第１載置面６３Ａと同一平面上に位置している。
【００３３】
載置台６１Ａの高さ（底板部３１と第１載置面６３Ａ・第２載置面６６Ａとの距離）は、囲み壁部５１Ａの立設高さ（底板部３１と、囲み壁部５１Ａにおいて底板部３１とは反対側の端縁との距離）よりも小さくされている。
【００３４】
主台部６２Ａは、ナット収容凹部７１Ａと、ボルト収容凹部７４Ａとを有している。
【００３５】
ナット収容凹部７１Ａは、図２および図４に示すように、第１載置面６３Ａを基準として底板部３１に向かって凹む凹部であって、第１載置面６３Ａと平行な矩形の第１底面７２Ａと、この第１底面７２Ａと第１載置面６３Ａとを繋ぐ４つの側壁面７３Ａとで定義される凹部である。４つの側壁面７３Ａは、それぞれ、第１底面７２Ａの４辺のそれぞれから、第１底面７２Ａに対して垂直に立ち上がっている。４つの側壁面７３Ａのそれぞれからは、突部７７Ａが突出している。突部７７Ａは、第１底面７２Ａから第１載置面６３Ａの近傍まで延びるすじ状の部分である。
【００３６】
ナット収容凹部７１Ａの内部には、ナット９０が嵌め込まれている。ナット９０の第２開口面９２Ｂは、第１底面７２Ａと当接しており、第１開口面９２Ａは、第１載置面６３Ａと面一となっている。ナット９０の４つの側面９３のそれぞれは、ナット収容凹部７１Ａの４つの側壁面７３Ａのそれぞれに対して僅かな隙間を空けて対向しており、これにより、ボルト８０がねじ付けられる際に、ボルト８０の回転につられてナット９０が回転してしまうことが規制されている。また、４つの側壁面７３Ａのそれぞれから突出する突部７７Ａが、４つの側面９３のそれぞれに当接することにより、ナット収容凹部７１Ａからのナット９０の抜け止めが図られている。
【００３７】
ボルト収容凹部７４Ａは、図４に示すように、第１底面７２Ａを基準として凹む凹部であって、第１底面７２Ａと平行な円形の第２底面７５Ａと、この第２底面７５Ａと第１底面７２Ａとを繋ぐ内周面７６Ａとで定義される凹部である。ボルト収容凹部７４Ａには、ナット９０にねじ付けられたボルト８０の軸部８１の先端部が収容される。
【００３８】
第２ヒューズ配設部４１Ｂは、図２に示すように、ヒューズ１０の２つの端子部１２のうち他方の端子部１２と、この端子部１２と接続される第２バスバー２０Ｂとが配設される部分であって、第１ヒューズ配設部４１Ａと同様に、囲み壁部５１Ｂと、載置台６１Ｂとを備えている。
【００３９】
第２ヒューズ配設部４１Ｂは、図３に示すように、２つの長壁部５２Ｂ、５３Ｂがバスバー本体２４Ｂの形状にあわせて屈曲されている点を除き、第１ヒューズ配設部４１Ａと同様の構成を有している。第２ヒューズ配設部４１Ｂにおいて第１ヒューズ配設部４１Ａの各部位と同様の部位には、同一の符号を用いるとともに、その末尾に添え字Ａに代えて添え字Ｂを付して、説明を省略する。
【００４０】
［ロアケース３０に対するヒューズ１０、第１バスバー２０Ａ、第２バスバー２０Ｂの組み付け］
次に、ロアケース３０に対するヒューズ１０、第１バスバー２０Ａ、第２バスバー２０Ｂの組み付けについて説明する。
【００４１】
まず、各ナット収容凹部７１Ａ、７１Ｂにナット９０を嵌め付ける。
【００４２】
次に、ヒューズ１０の一方の端子部１２を第１ヒューズ配設部４１Ａの内部に、他方の端子部１２を第２ヒューズ配設部４１Ｂの内部に、それぞれ配置する。
【００４３】
第１ヒューズ配設部４１Ａの内部に端子部１２が配置された状態では、図４に示すように、固定部１５が第１載置面６３Ａおよび第２載置面６６Ａに重ねて配置され、図３に示すように、脚部１４が平行補助壁部５８Ａに当接し、固定部１５の２つの側縁１５Ｅ（ヒューズ本体１１の軸方向に沿って延びる縁部）のそれぞれが垂直補助壁部５７Ａに当接している。これにより、第１ヒューズ配設部４１Ａに対する端子部１２の位置決めがなされる。他方の端子部１２も同様に、第２ヒューズ配設部４１Ｂに対して位置決めがなされる。
【００４４】
次に、第１ヒューズ配設部４１Ａの内部に、第１バスバー２０Ａを配置する。図４に示すように、取付部２１Ａが固定部１５に重ねて配置される。また、図３に示すように、バスバー本体２４Ａが載置台６１Ａに隣接して、底板部３１に重ねて配置され、回転規制部２３Ａが回転規制受面６４Ａに当接して配置され、接続片２５Ａが、短壁部５５Ａに当接して配置される。また、第１バスバー２０Ａの２つの側縁２７Ａ（取付部２１Ａ、回転規制部２３Ａ、バスバー本体２４Ａ、接続片２５Ａの並び方向に沿って延びる側縁）が、２つの長壁部５２Ａ、５３Ａのそれぞれに当接している。さらに、取付部２１Ａにおいて、回転規制部２３Ａと反対側の端縁２８Ａが短壁部５４Ａに当接している。これにより、第１ヒューズ配設部４１Ａに対する第１バスバー２０Ａの位置決めがなされる。
【００４５】
次に、固定部１５のボルト挿通孔１６、および、第１バスバー２０Ａのボルト挿通孔２２Ａに、ボルト８０の軸部８１を挿通し、ボルト８０をナット９０にねじ付ける。ここで、上記したように、回転規制部２３Ａが回転規制受面６４Ａに当接して配置され、接続片２５Ａが、短壁部５５Ａに当接して配置される。また、第１バスバー２０Ａの２つの側縁２７Ａ（取付部２１Ａ、回転規制部２３Ａ、バスバー本体２４Ａ、接続片２５Ａの並び方向に沿って延びる側縁）が、２つの長壁部５２Ａ、５３Ａのそれぞれに当接している。さらに、取付部２１Ａにおいて、回転規制部２３Ａと反対側の端縁２８Ａが短壁部５４Ａに当接している。これにより、ボルト８０がねじ付けられる際に、ボルト８０の回転につられて第１バスバー２０Ａが回転してしまうことが規制される。
【００４６】
また、端子部１２とボルト８０の頭部８２との間には第１バスバー２０Ａが介在しているから、ボルト８０の締め込み過程の終盤において、端子部１２がボルト８０の回転力を直接受けることがない。また、第１バスバー２０Ａは、端子部１２よりも厚い部材であるため、ボルト８０の頭部８２からの回転力を受けても変形が生じにくい。これにより、端子部１２の変形が回避される。
【００４７】
第２バスバー２０Ｂも同様に、第２ヒューズ配設部４１Ｂの内部に位置決めして配置され、ボルト８０によって固定される。
【００４８】
［まとめ］
以上のように本実施形態によれば、電気接続箱１は、第１バスバー２０Ａおよび第２バスバー２０Ｂと、２つの端子部１２を有するヒューズ１０と、これらのバスバー２０Ａ、２０Ｂとヒューズ１０とが組み付けられるロアケース３０と、ねじ山を有する軸部８１と、軸部８１の一端に配置された頭部８２とを有する２つのボルト８０とを備える。２つのボルト８０のうち一方のボルト８０は、一方の端子部１２と第１バスバー２０Ａとをロアケース３０に固定し、他方のボルト８０は、他方の端子部１２と第２バスバー２０Ｂとをロアケース３０に固定する部材である。そして、一方の端子部１２が、第１バスバー２０Ａとロアケース３０との間に配置され、ボルト８０の頭部８２が第１バスバー２０Ａに当接して配置されている。同様に、他方の端子部１２が、第２バスバー２０Ｂとロアケース３０との間に配置され、ボルト８０の頭部８２が第２バスバー２０Ｂに当接して配置されている。
【００４９】
上記の構成によれば、一方の端子部１２とボルト８０の頭部８２との間には第１バスバー２０Ａが介在しているから、ボルト８０の締め込み過程の終盤において、端子部１２がボルト８０の回転力を直接受けることがない。また、第１バスバー２０Ａは、端子部１２よりも厚い部材であるため、ボルト８０の頭部８２からの回転力を受けても変形が生じにくい。これにより、端子部１２の変形が回避される。他方の端子部１２と第２バスバー２０Ｂとの締め込み固定においても同様である。
【００５０】
また、ロアケース３０が、底板部３１と、第１ヒューズ配設部４１Ａと、第２ヒューズ配設部４１Ｂとを備えている。第１ヒューズ配設部４１Ａは、底板部３１から立ち上がり、一方の端子部１２と第１バスバー２０Ａとを囲む囲み壁部５１Ａを備え、第２ヒューズ配設部４１Ｂは、底板部３１から立ち上がり、他方の端子部１２と第２バスバー２０Ｂとを囲む囲み壁部５１Ｂを備えている。各囲み壁部５１Ａ、５１Ｂは、各端子部１２に当接している。すなわち、囲み壁部５１Ａにおいて、平行補助壁部５８Ａが脚部１４に当接し、垂直補助壁部５７Ａが固定部１５の２つの側縁１５Ｅのそれぞれに当接している。囲み壁部５１Ｂについても同様である。
【００５１】
上記の構成によれば、組み付けの際にロアケース３０に対する端子部１２の位置決めができるので、組み付け作業性が向上する。
【００５２】
さらに、ロアケース３０が、各囲み壁部５１Ａ、５１Ｂの内部に配置される載置台６１Ａ、６１Ｂを備えている。載置台６１Ａは、底板部３１から垂直に立ち上がる回転規制受面６４Ａと、この回転規制受面６４Ａから垂直に連なり、一方の端子部１２が載置される第１載置面６３Ａとを有している。また、囲み壁部５１Ａは、第１バスバー２０Ａに当接している。すなわち、２つの長壁部５２Ａ、５３Ａのそれぞれに、第１バスバー２０Ａの２つの側縁２７Ａのそれぞれが当接し、一方の短壁部５４Ａに、取付部２１Ａの端縁２８Ａが当接し、他方の短壁部５５Ａに、接続片２５Ａが当接している。加えて、第１バスバー２０Ａが、端子部１２に重なって配置される取付部２１Ａと、取付部２１Ａから垂直に延び、回転規制受面６４Ａに当接する回転規制部２３Ａと、回転規制部２３Ａから垂直に延び、底板部３１に重なって配置されるバスバー本体２４Ａとを備える。第２ヒューズ配設部４１Ｂおよび第２バスバー２０Ｂについても同様である。
【００５３】
上記の構成によれば、ボルトの締め込みの際に、ボルト８０の回転につられて第１バスバー２０Ａ、第２バスバー２０Ｂが回転してしまうことを規制でき、組み付け作業性が向上する。
【００５４】
また、載置台６１Ａが、第１載置面６３Ａを基準として凹むナット収容凹部７１Ａを有し、ナット収容凹部７１Ａの内部には、第１開口面９２Ａに開口するナット孔９１を有し、ボルト８０がねじ付けられるナット９０が収容されている。ナット９０は、第１開口面９２Ａと載置面６３Ａとが面一となるように配置されている。
【００５５】
このような構成によれば、ナット９０が載置面６３Ａから突出したり引っ込んだりしている場合と比べて、端子部１２とバスバー２０Ａとを安定した状態で組み付けることができる。他方の載置台６１Ｂについても同様である。
【００５６】
また、ナット９０が、第１開口面９２Ａと垂直な複数の側面９３を有しており、ナット収容凹部７１Ａが、複数の側面９３と対向する複数の側壁面７３Ａで定義される凹部であり、各側壁面７３Ａから突出する突部７７Ａが各側面９３に当接している。他方のナット収容凹部７１Ｂについても同様である。
【００５７】
このような構成によれば、ナット収容凹部７１Ａ、７１Ｂからのナット９０の抜け止めを図ることができる。
【００５８】
＜他の実施形態＞
本明細書によって開示される技術は上記記述及び図面によって説明した実施形態に限定されるものではなく、例えば次のような種々の態様も含まれる。
（１）上記実施形態では、ヒューズ１０が、筒状のヒューズ本体１１と、ヒューズ本体１１に接続された一対の端子部１２とを備えていたが、ヒューズの構成は上記実施形態の限りではなく、ボルト挿通孔を有する端子部を備えていればよい。
【００５９】
（２）上記実施形態では、ベース部材は、電気接続箱のロアケースであったが、ベース部材の構成は、ヒューズとバスバーとが組み付けられる部材であれば特に制限はない。
【符号の説明】
【００６０】
１…電気接続箱
１０…ヒューズ
１２…端子部
２０Ａ…第１バスバー（バスバー）
２０Ｂ…第２バスバー（バスバー）
２１Ａ、２１Ｂ…取付部
２３Ａ、２３Ｂ…回転規制部
２４Ａ、２４Ｂ…バスバー本体
３０…ロアケース（ベース部材）
３１…底板部（ベース壁部）
５１Ａ、５１Ｂ…囲み壁部
６１Ａ、６１Ｂ…載置台（載置部）
６３Ａ…第１載置面（載置面）
６４Ａ…回転規制受面
７１Ａ、７１Ｂ…ナット収容凹部
７３Ａ…側壁面
７７Ａ…突部
８０…ボルト
８１…軸部
８２…頭部
９０…ナット
９１…ナット孔
９２Ａ…第１開口面
９３…側面
【図１】
0006460037.tif 000002
【図２】
0006460037.tif 000003
【図３】
0006460037.tif 000004
【図４】
0006460037.tif 000005
【図５】
0006460037.tif 000006